(57)【要約】  【課題】  一度に幅のあるものを挟み付けることができるとともに、ある程度の厚さを有する長尺物であっても、その中間部を容易に挟み付けることができるようにする。  【解決手段】  一対の力部２０ｃと一対の作用部２０ｂとが回動支点２１を挟んで設けられていて、力部２０ｃどうしを付勢力に抗して接近させるように回動させると、作用部２０ｂどうしが離間していくような機構を複数組設ける。また、各組の一対の力部２０ｃに互いに離間するように一対の延出部４を設けて、各対の同じ側にある延出部４どうしを一対の力延出連結部５で連結する。さらに、各対の同じ側にある作用部２０ｂどうしを一対の作用連結部３で連結する。力部２０ｃから延出部４の大きさだけ離された一対の力延出連結部５を付勢力に抗して互いに接近させると、一対の作用連結部５が離間して、この一対の作用連結部５の間に幅のあるものを挿入して挟むことができる。  【選択図】図１
2005140292.tif 000002
【特許請求の範囲】
【請求項１】
回動支点に対して所定に長さを保って回動可能に支持された一対の力部であって、この力部は互いに離間するように付勢され、挟持するとき当該付勢に抗して接近され、
上記一対の力部にそれぞれ連結された一対の作用部であって、この作用部は上記回動支点を挟んで上記力部の反対側に位置し、この回動支点に対して所定に長さを保って回動可能に支持され、上記力部への付勢力に応じて、この一対の作用部は互いに接近するように付勢され、
上記一対の力部から、互いに離間するように延出された一対の延出部と、
上記回動支点、上記一対の力部、上記一対の作用部、上記一対の延出部は、複数組設けられ、
上記複数組における上記一対の作用部の一方を連結するとともに、同じく上記複数組における上記一対の作用部の他方を連結する一対の作用連結部と、
上記複数組における上記一対の延出部の一方を連結するとともに、同じく上記複数組における上記一対の延出部の他方を連結する一対の力延出連結部とを備え、
上記一対の力延出連結部を付勢力に抗して互いに接近させると、上記一対の作用連結部が離間されて、この一対の作用連結部の間にものを挿入でき、当該一対の力延出連結部を開放させると、上記一対の作用連結部が接近されて、この一対の作用連結部の間に挿入されたものが挟まれることを特徴とする挟持具。
【請求項２】
上記作用連結部は、上記作用部に対して揺動可能となっており、挟むものの傾斜に対応してこの作用連結部の向きが変更されることを特徴とする請求項１記載の挟持具。
【請求項３】
上記作用連結部は複数組の上記作用部を最短距離で連結するものであり、上記一対の作用連結部は全体が互いに同時に接するものであって、この作用連結部全体にわたって均等に挟持力が伝達されることを特徴とする請求項１または２記載の挟持具。
【請求項４】
上記力延出連結部は、複数組の上記延出部を最短距離で連結するものであり、上記一対の力部が互いに接しても、上記一対の力延出連結部は互いが接触せず離間しており、挟持するものを上記作用連結部から上記力延出連結部の外まで延出させることができ、この力延出連結部への印加力を大きくできることを特徴とする請求項１、２または３記載の挟持具。
【請求項５】
上記作用連結部はその中央部が互いに接近するように多少湾曲していることを特徴とする請求項１、２、３または４記載の挟持具。
【請求項６】
上記一対の延出部の延びる方向は、一つの直線上にほぼあり、上記力部の回動方向からずれた方向に力が加わらないことを特徴とする請求項１、２、３または４記載の挟持具。
【発明の詳細な説明】
【技術分野】
【０００１】
本発明は、物を挟むことができる挟持具に関するものである。
【背景技術】
【０００２】
物を挟み付けるために使用される挟持具には、一対の力部を弾性力に抗して接近させることにより、一対の作用部を開かせ、この作用部で物を挟み付けるようにした、いわゆる洗濯ばさみタイプのものが広く用いられている。ところが、このような挟持具では、作用部の幅サイズをそれ程大きくできないため、幅のある物を一度に挟み付けることはできない。
【０００３】
そこで、例えば、２つの洗濯ばさみタイプのものを一体にしたもの、すなわち、作用部どうしを連結して長い押圧部を形成し、この押圧部で幅のある物を一度に挟み付けられるようにした挟持具も提案されている（例えば特許文献１参照）。この挟持具では、力部どうしも連結し、連結された一対の幅広力部に力を加えることにより、一度に幅のある物を挟み付けることができるようになっている。
【０００４】
【特許文献１】特開平９−１４０９９７号公報（第２図）
【発明の開示】
【発明が解決しようとする課題】
【０００５】
しかしながら、上記挟持具では、力部間が狭く、押圧部でものを挟むと、力部どうしが接近してしまい、力部間を通すようにして長尺物の中間部を挟む場合に、薄いもの以外は挟めないという問題があった。
【０００６】
そこで本発明は、上述した課題を解決するためになされたものであり、一度に幅のあるものを挟み付けることができるとともに、ある程度の厚さを有する長尺物であっても、その中間部を容易に挟み付けることができる挟持具を提供することを目的とする。
【課題を解決するための手段】
【０００７】
上記目的を達成するために、本発明は、回動支点に対して所定に長さを保って回動可能に支持された一対の力部であって、この力部は互いに離間するように付勢され、挟持するとき当該付勢に抗して接近され、上記一対の力部にそれぞれ連結された一対の作用部であって、この作用部は上記回動支点を挟んで上記力部の反対側に位置し、この回動支点に対して所定に長さを保って回動可能に支持され、上記力部への付勢力に応じて、この一対の作用部は互いに接近するように付勢され、上記一対の力部から、互いに離間するように延出された一対の延出部と、上記回動支点、上記一対の力部、上記一対の作用部、上記一対の延出部は、複数組設けられ、上記複数組における上記一対の作用部の一方を連結するとともに、同じく上記複数組における上記一対の作用部の他方を連結する一対の作用連結部と、上記複数組における上記一対の延出部の一方を連結するとともに、同じく上記複数組における上記一対の延出部の他方を連結する一対の力延出連結部とを備え、上記一対の力延出連結部を付勢力に抗して互いに接近させると、上記一対の作用連結部が離間されて、この一対の作用連結部の間にものを挿入でき、当該一対の力延出連結部を開放させると、上記一対の作用連結部が接近されて、この一対の作用連結部の間に挿入されたものが挟まれるようにした。
【０００８】
本発明では、付勢力に抗しつつ、一対の力延出連結部に、これらが互いに接近するように力を加えることにより、延出部を介して各対の力部に力が伝わり、各対の力部と作用部とが、回動支点を中心に、力部どうしは接近し、作用部どうしは遠ざかるように回動する。
【０００９】
このため、各対の一方側の作用部と、他方側の作用部とにそれぞれ連結された一対の作用連結部は、各対の作用部どうしの遠ざかるような回動により、互いに離間する（開く）ように移動し、これらの間にものを挟む空間が形成される。そして、力延出連結部から力を抜くと、付勢力によって作用連結部どうしが接近して、これらの間にものを挟むことができる。
【発明の効果】
【００１０】
本発明では、物を挟み付ける一対の作用連結部を、少なくとも、一対の作用部と他の一対の作用部間に長く形成できるので、この一対の作用連結部によって幅のある物を一度に挟み付けることができる。また、本発明では、力延出連結部を延出部を介して各対の力部に連結し、一対の力延出連結部を、延出部２つ分だけ互いに離すようにしているので、この一対の力延出連結部間には、一対の力部間に比べて延出部２つ分だけ余分な隙間が形成される。
【００１１】
このため、本発明では、ある程度の厚さを有する長尺物を一対の力延出連結部間に通しても、この長尺物が力延出連結部の動きをじゃますることはなく、このような長尺物の中間部を一対の作用連結部によって容易に挟み付けることができる。
【発明を実施するための最良の形態】
【００１２】
（１）挟持具の構成
図１はこの発明の一実施の形態に係る挟持具の全体構成を示している。また、図２は、この挟持具を正面からみた構成を示している。挟持具１は、図１で示されるように、一定距離離して配置される一対の挟み付け機構２、２と、挟み付け機構２、２の一端側に取り付けられる、挟持用の一対の押圧部材３、３と、挟み付け機構２、２の他端側に取り付けられる４つの延出部材４、４、４、４と、延出部材４を介して挟み付け機構２、２の両側に取り付けられる、操作用の一対の加圧部材５、５と、８つの連結ねじ６…とから構成されている。
【００１３】
なお、この挟持具１は、図１及び図２で示されるように、例えば、挟み付け機構２の配置方向（Ｌ方向）（以下これを前後方向という）の長さＬが８０ｍｍ、挟み付け機構２の対称軸線Ｎの方向（Ｎ方向）（以下これを上下方向という）の長さＨが６０ｍｍ、挟み付け機構２の幅方向（Ｗ方向）（以下これを左右方向または内外方向という）の長さＷが６５ｍｍの大きさに形成されている。
【００１４】
すなわち、この挟持具１は、片手で容易に使用できる大きさに形成されている。例えば、幅方向の長さＷは、通常の成人の手の親指と人差し指または中指、薬指若しくは小指との離間距離より小さくなっている。したがって、延出部材４、４の長さは、このような幅方向の長さＷとなるように選択される。しかも力部２０ｃが接したときの幅方向の長さＷ、または、力部２０ｃが接したときの延出部材４、４の合計長さが、挟む物の厚さより大きくされる。
【００１５】
挟み付け機構２は、図２で示されるように、洗濯ばさみに似た機能を有するもので、２つの挟み付け部材２０、２０と、回動支点をなす支軸２１と、弾性部材２２と、２つの回動部材２３、２３とから構成されている。この挟み付け機構２は、２つの挟み付け部材２０、２０が対称軸線Ｎを挟んで向かい合うように、ほぼ左右対称に形成されている。
【００１６】
挟み付け部材２０は、図１で示されるように、例えば、樹脂材によって細長く、かつ、断面が、外側部Ｓ１が閉じ、内側部Ｓ２が開いたＵ字状に形成されている。この挟み付け部材２０は、中間部に、内側に向かって、支軸２１差し込み用の突部２０ａが形成されており、この突部２０ａから上方側に、外側に略凸円弧状に湾曲した作用部２０ｂが形成され、この突部２０ａから下方側に、外側に斜状に延びる力部２０ｃが形成されている。
【００１７】
一対の挟み付け部材２０、２０は、突部２０ａの一方の厚肉部Ｐ１側を外側にし、他方の薄肉部Ｐ２側を内側に入れるようにして、突部２０ａ、２０ａどうしを重ね合わせ、この重ね合わせ部を支軸２１で貫ぬくようにして、回動自在に連結されている。
【００１８】
弾性部材２２は、例えば金属の捩りコイルバネから形成されている。この弾性部材２２は、図１及び図２で示されるように、コイル部２２ａが挟み付け部材２０、２０内の支軸２１回りに配置され、コイル部２２ａの両端部から斜状に延びる線状加圧部２２ｂ、２２ｂが、２つの挟み付け部材２０、２０の力部２０ｃ、２０ｃの内面を外側に向かって加圧している。
【００１９】
このため、２つの挟み付け部材２０、２０は、弾性部材２２の弾性力（付勢力）によって、作用部２０ｂ、２０ｂ側の上端どうしが突き合わされ、力部２０ｃ、２０ｃどうしが一定距離だけ離されるように位置決めされている。
【００２０】
図３は挟持具１の回動部材２３回りの詳細を示している。
回動部材２３…は、一対の押圧部材３、３を上下方向に揺動させて、この押圧部材３、３に、種々の形状のものを安定的に挟持させるようにする働きを有すものである。この回動部材２３は、図３で示されるように、挟み付け部材２０の作用部２０ｂ側一端（上端）に、この挟み付け部材２０の内側部Ｓ２に沿って上下に回動できるように取り付けられている。
【００２１】
回動部材２３は、表面側が平らで裏面側が前後に向いた凹状の円柱面Ｒとなるように形成された基部２３ａと、基部２３ａの円柱面Ｒ側中央部に連結部２３ｂを介して形成された支持部２３ｃとから構成されている。支持部２３ｃは円筒状に形成され、一部に切欠Ｋが設けられている。なお、回動部材２３は、例えば、樹脂材から形成されている。
【００２２】
一方、挟み付け部材２０の作用部２０ｂ側一端（上端）には、図３で示されるように、挟み付け部材２０の内側部Ｓ２を、回動部材２３の円柱面Ｒと略等しい曲率で円弧状に切り込んだ円弧部２０ｄが形成されている。また、この円弧部２０ｄ中の隙間には、回動部材２３の支持部２３ｃを回動自在に支持する軸部２０ｅが形成されている。
【００２３】
さらに、この挟み付け部材２０の一端には、軸部２０ｅに臨むように、挟み付け部材２０の外側部Ｓ１に開口Ｔが形成されている。この回動部材２３を挟み付け部材２０に組み込むには、回動部材２３の切欠Ｋを弾性変形させて開き、支持部２３ｃを挟み付け部材２０の軸部２０ｅに嵌め込めばよい。
【００２４】
このことにより、支持部２３ｃの一部が挟み付け部材２０の開口Ｔより外側に突出し、挟み付け部材２０の円弧部２０ｄが回動部材２３の円柱面２３ａに当接する。回動部材２３は、支持部２３ｃが挟み付け部材２０の軸部２０ｅ回りを回動することにより、円柱面Ｒを円弧部２０ｄに沿うようにして上下に一定角度だけ回動する。
【００２５】
押圧部材３は、挟持具１の作用連結部となるものであり、２つの挟み付け機構２、２の作用部２０ｂ側を連結する働きと、一対のもので、挟み付け機構２、２内及び挟み付け機構２、２間のものを一度に挟み付ける働きとを有する。
【００２６】
この押圧部材３は、図１で示されるように、軽くて強く、かつ容易に変形しない金属板（例えば厚さ２ｍｍのアルミ板）を、例えば、上下高さ１０ｍｍ、左右長さ８０ｍｍの帯状に形成したものである。押圧部材３は、一対の挟み付け機構２、２の同じ側（左側又は右側）にある２つの回動部材２３、２３の基部２３ａの平らな面に、前端部側と後端部側とが接着によって取り付けられており、一対のものが対面するように配置されている。
【００２７】
このため、２つの押圧部材３、３は、挟み付け機構２の弾性部材２２による弾性力（付勢力）によって、両端側から互いに押しつけられ、図２で示されるように、ものを挟持しない場合には、互いに密着した状態となっている。
【００２８】
すなわち、この挟持具１では、容易に変形せず、かつ、物を挟まないときに互いに密着する押圧部材３、３の両端側から、弾性部材２２による力が与えられているので、押圧部材３、３の長手方向全体に均等に力をかけることができ、押圧部材３、３のどの位置においても、ものを等しく挟持することができるとともに、ものの幅の大小に関わらず、これを確実に挟持することができる。
【００２９】
延出部材４は、挟持具１の延出部となるものであり、押圧部材３、３の下方に広い空間を作る働きを有するものである。この延出部材４は、樹脂材を、例えば、外径８ｍｍ、長さ１０ｍｍの円柱状に形成したものである。この延出部材４は、図１で示されるように、挟み付け機構２の力部２０ｃ下端に、連結ねじ５によって、左右方向を向いた水平な状態で取り付けられている。この場合、左右一対の延出部材４、４は、中心線が一致するように一直線状（同芯状）に配置されている。
【００３０】
加圧部材５は、挟持具１の力延出連結部となるものであり、２つの挟み付け機構２、２の力部２０ｃ…側を延出部材４…を介して連結する働きと、一対のもので２つの挟み付け機構２、２の力部２０ｃ…に同時に力を加えられるようにする働きとを有するものである。
【００３１】
この加圧部材５は、軽くて強く、かつ容易に変形しない金属板（例えば厚さ２ｍｍのアルミ板）を、例えば、押圧部材３と同じサイズに形成したものからできている。この加圧部材５は、図１で示されるように、一対の挟み付け機構２、２の同じ側（左側又は右側）に取り付けられた前後一対の延出部材４、４の一端側に、両端部が連結ねじ６、６によって取り付けられており、一対のものが、延出部４…を介して、２つの挟み付け機構２、２の下部を挟むように配置されている。
【００３２】
（２）挟持具による被挟持物の挟持
つぎに、被挟持物として長くて太い歯磨きチューブ（以下チューブ１００という）を例にとり、このチューブ１００の中程を挟持具１で挟み付ける場合について説明する。
【００３３】
図４はチューブ１００を挟持具１中に差し込んだ状態を示している。例えば、挟持具１の一方の加圧部材５に右手の４本の指を当て、他方の加圧部材５に右手の親指を当てて、加圧部材５、５を近づけるように、これに右手で加圧力Ｑを加える。このことにより、図４で示されるように、挟み付け部材２０、２０の作用部２０ｂ、２０ｂが弾性部材２２の弾性力に抗しつつ左右に回動して、押圧部材３、３が左右に開くように移動し、これらの間に一定の隙間が生じる。
【００３４】
一方、加圧部材５、５は、これに加圧力Ｑを加えて、挟み付け部材２０、２０の力部２０ｃ、２０ｃが近づくように回動しても、２つの延出部材４、４の長さ分だけ互いに左右に離されているので、挟み付け機構２、２間の加圧部材５、５には左右に充分な隙間が設けられる。
【００３５】
したがって、この挟持具１では、太くて長いチューブ１００を、キャップ１０２側から、押圧部材３、３間の隙間を通って挟み付け部材２０、２０の下方側（力部２０ｃの下方側）まで挿入しても、チューブ１００が加圧部材５、５に当たることはない。このため、この挟持具１では、太くて長いチューブ１００の中程をも押圧部材３、３で容易に挟み付けることができる。つまり、押圧部材３、３から加圧部材５、５までの長さより長いものを押圧部材３、３で挟むことができる。
【００３６】
この場合、挟み付け部材２０が支軸２２を中心に回動して、加圧部材５、５間の下部側の開きは、図４中の２点鎖線で示されるように、上部側より大幅に狭くなる。ところが、加圧部材５、５は、図４中実線で示されるように、挟み付け部材２０に対して上下方向に揺動して、加圧部材５、５間の下部側の開きを広くする。したがって、この挟持具１では、より厚みのある被挟持物も押圧部材３、３で挟み付けることができる。
【００３７】
また、この挟持具１では、左右の延出部材４、４が同芯状に配置されているので、加圧部材５、５に加えた力が、ロスなく、挟み付け部材２０、２０を回動するのに用いられ、効率よく、押圧部材３、３を開くことができる。
【００３８】
さらに、この挟持具１では、加圧部材５、５に加圧力Ｑを加えても、これらが接して互いに干渉することはないので、加圧部材５、５に充分に加圧力Ｑを加えることができ、その分、押圧部材３、３を充分に開かせることができる。また、この挟持具１では、加圧部材５、５が、手の指全部をかけやすいようにある程度の長さを有しているので、操作が容易となり、この点でも、加圧部材５、５に充分な力を加えることができる。
【００３９】
図５は挟持具１に差し込まれたチューブ１００を押圧部材３、３で挟み付けるまでの状態を示している。加圧部材５、５から手の力を抜くと、チューブ１００を差し込んだ時には、図５中の２点鎖線で示される位置Ａ（図４で示される位置）にあった挟み付け部材２０、２０は、図５の実線で示される位置Ｂまで弾性部材２１の弾性力（付勢力）によって回動する。
【００４０】
また、押圧部材３、３は、下端がチューブ１００の本体１０１に触れる、図５中の２点鎖線で示される位置Ｃまで移動した後、本体１０１表面形状に合わせて揺動し、チューブ１００の本体１０１表面に当接する。そして、押圧部材３、３が、チューブ１００の本体１０１中程を、左右から、弾性部材２１による弾性力（付勢力）によって挟み付ける。
【００４１】
なお、チューブ１００の本体１０１中程を挟持具１で挟み付けることにより、例えば、チューブ１００の下部１０３を左手で保持しつつ、挟持具１を右手で下方に押し下げることにより、チューブ１００の中身（練り歯磨き）をキャップ１０２側に絞り出すことができる。
【００４２】
このように、この挟持具１では、押圧部材３が、固定されることなく、挟み付けようとするもの（チューブ１００）の形状（上下方向の傾斜）に合わせて揺動するので、押圧部材３、３の上下の面全体を、挟み付けようとするものの表面に密着させることができ、この被挟持物をしっかりと挟持できる。
【００４３】
（３）延出部の他の働き
図６は延出部材４を用いた場合（本実施の形態の場合）と用いない場合における、挟み付け部材２０への力のかかり方の違いを示している。図６の（ｂ）で示されるように、加圧部材５に加圧力Ｑを加えることにより、加圧部材５の軸線Ｍが１点斜線のように撓むと、挟み付け部材２０の力部２０ｃには、やや斜め外方に向いた力Ｆ（加圧力Ｑの１／２の力）が作用する。
【００４４】
このため、力部２０ｃには、力部２０ｃ、２０ｃどうしを接近させようとする分力Ｆ１以外に、力部２０ｃを外方（前後方向）向かわせようとする分力Ｆ２が作用する。この分力Ｆ２は、挟み付け部材２０の力部２０ｃを外方に曲げようとするので、挟み付け部材２０に変形を生じさせたり、力の伝達の無駄を生じさせたりする。
【００４５】
一方、図６の（ａ）で示されるように、延出部材４を設けると、加圧部材５によって延出部材４にやや斜め外方に向いた力Ｆが作用しても、この力Ｆの分力Ｆ２は延出部材４の変形等によって吸収されることになる。このため、挟み付け部材２０の力部２０ｃには、分力Ｆ１のみしか作用せず、挟み付け部材２０に変形を生じさせることはないし、力の伝達の無駄も生じない。
【００４６】
図７は延出部材４側に加えられる力Ｆに対する支軸２１回りのモーメントアームの長さが、延出部材４によってどのように変化するかを示している。なお、加圧部材５には外方が円弧形をした半円柱状部材が用いられている。
【００４７】
力Ｆの加え始めには、図７の（ａ）で示されるように、加圧部材５が直接挟み付け部材２０の力部２０ｃに取り付けられている場合でも、加圧部材５が延出部材４を介して力部２０ｃに取り付けられている場合でも、力Ｆに対する支軸２１回りのモーメントアームの長さはＤ１であり、挟み付け部材２０には支軸２１回りにＦ・Ｄ１のモーメントが加えられる。
【００４８】
一方、図７の（ｂ）で示されるように、挟み付け部材２０がある程度回動すると、延出部材４が水平な状態から斜め下向きに傾く。このため、力Ｆに対する支軸２１回りのモーメントアームの長さは、延出部材４を用いた場合には、延出部材４を用いない場合のＤ２から、Ｄ３に増大する。したがって、延出部材４を用いた場合には、挟み付け部材２０、２０の力部２０ｃ、２０ｃどうしが接近するほど、モーメントアームの長さが大きくなるので、その分だけ、力Ｆを小さくできる。
【００４９】
なお、上記のような現象は、加圧部材５に半円柱部材を用いた場合のように、挟み付け部材２０の回動にともなって、加圧部材５に対する力Ｆの作用する位置（上下位置）にほとんど変化が生じない場合、すなわち、加圧部材５の外方への突出部の上下位置にほとんど変化が生じない場合に生じる。
【００５０】
例えば、加圧部材５が帯板材の場合には、図４で示されるように、挟み付け部材２０の回動にともなって、加圧部材５への力Ｆの作用位置が、加圧部材５の中間部から上部に移動するので、延出部材４を用いた場合でも、モーメントアームの長さにはほとんど変化は生じない。
【００５１】
また、加圧部材５、５を更に押し続けて、力部２０ｃ、２０ｃを接触させても、加圧部材５、５は未だ互いに離間しているので、力Ｆを円滑にかけやすい。また、太いものや長い物も用意に挟むことができる。
【００５２】
（４）挟持具の用途
この挟持具１は、ものを挟み付けるあらゆる用途に使用できる。例えば、台所や洗面所やトイレや浴室等で使用される種々の生活物資（例えば、洗濯物、料理素材、種々の生活小物等）を、挟み付けて固定したり、挟み付けて保持したり、挟み付けて移動したりするのに使用できる。また、紙やノート等を挟んで保持する文具や事務用品としても使用できる。
【００５３】
さらに、フック等を取り付けることにより、もの（例えば、絵、写真、広告、衣料品等）を挟んで簡単に吊り下げるのにも使用できる。また、押圧部材３、３から加圧部材５、５までの長さより長いものを押圧部材３、３で挟むことができるが、加圧部材５、５まで達しないものならば、押圧部材３、３より幅の広い物を挟むこともできる。さらに、硬質で可撓性の少ない三角形状の物を容易に挟むこともできる。すなわち、硬質の三角形物体の上頂点を加圧部材５、５の間まで入れ込み、当該三角形の上頂点よりやや下の底辺にやや近い箇所を押圧部材３、３で挟むことはできるからである。
【００５４】
（５）他の実施の形態
本発明は、上記実施例に限定されず、種々変更可能である。例えば、挟み付け部材２０と延出部材４とは、例えば挟み付け部材２０と同じ材料によって一体的に形成されていてもよい。また、加圧部材５と前後２つの延出部４、４とは、例えば加圧部材５と同じ材料によって一体的に形成されていてもよい。さらに、押圧部材３と前後２つの回動部材２３、２３とは、例えば押圧部材３と同じ材料によって一体的に形成されていてもよい。また、前後２つの挟み付け部材２０、２０と、前後２つの延出部材４、４と、加圧部材５とは、一体的に形成されていてもよい。これらによって、製作コストの低減を図ることができるからである。
【００５５】
挟み付け部材２０や、回動部材２３、及び延出部材４は、木製、竹製、金属製のいずれかで形成されるものであってもよい。また、弾性部材２２は、金属リングを一部カットしたリングバネや、金属板や樹脂板から形成される板バネ、ゴム弾性を用いたものであってもよい。さらに、押圧部材３や加圧部材５は、強度が大きく容易に変形しにくいものであれば、金属製のものの他、樹脂製、木製、又は竹製のものであってもよい。なお、延出部材４はゴム材やバネ材のように弾性変形容易なものから形成されていてもよい。
【００５６】
押圧部材３は、挟み付け機構２に回動部材２３や円弧部２０ｄ等からなる回動機構を設けず、挟み付け部材２０の上端に、直接、固定されるものであってもよい。この場合、前後２つの挟み付け部材２０、２０と押圧部材３とは、一体的に形成されていてもよいし、前後２つの挟み付け部材２０、２０と、前後２つの延出部材４、４と、加圧部材５と、押圧部材３とが、一体的に形成されていてもよい。
【００５７】
また、押圧部材３は、被挟持物の端部の形状に合わせて、上下方向、内外方向、前後方向または左右方向に凸形、凹形、又は凹凸形に形成された板状のものであってもよい。さらに、押圧部材３は、これを挟み付け機構２、２間で僅かに湾曲させ、挟み付け機構２、２間の中央部で、２つのものが接するような形状のものであってもよい。挟持力が多少弱くなる、挟み付け機構２、２間の中央部で、弱くなりがちな押圧部材３、３の挟持力を高めることができるからである。
【００５８】
さらに、押圧部材３や加圧部材５は、かなり幅の広い帯状のものや、例えば、三角形、長方形、菱形等の多角形状のものや、棒状（例えば、断面が円形、半円形、円弧形、多角形等）のものであってもよい。
【００５９】
回動支点は、支軸２１のように、一対の挟み付け部材２０、２０を回動自在に連結するようなものでなくてもよい。例えば、弾性部材２２としてリングバネを用いた場合には、回動支点は、挟み付け部材２０、２０の突部２０ａ、２０ａどうしを、ずれないように（凹凸部を嵌め合わせて）突き合わせるだけのものでよい。
【００６０】
２つの延出部材４、４を含めた挟み付け機構２は、一対の押圧部材３、３に対して、３つ以上設けられていてもよい。挟持具１の大型化や挟持力の強化を図ることができるからである。この場合、押圧部材３の両端部以外に配置される挟み付け機構２…は、挟持力を均一化するために、押圧部材３の長手方向に均等に配置してもよいし、挟持力を変化させるために、特定の部分に偏らせるように配置してもよい。
【００６１】
左右一対の延出部材４、４は、一対の加圧部材５、５を互いに遠ざけるように、挟み付け機構２の下端に取り付けられていればよく、各々の向きや長さはどのようなものであってもよい。図７の例であれば、延出部材４、４は一直線上に向きを揃えられているが、これが互いに上方向、下方向、内方向、外方向、前方向、後方向、左方向または右方向に傾いていてもよい。これにより最も大きな力を伝達できる開き位置を種々変更することができる。
【００６２】
挟み付け部材２０、２０は、２個以上連結されてもよい。連結方向は、前後方向のほか、左右方向でもよい。また、加圧部材５、５は、延出部材４、４の先端だけでなく、延出部材４、４の基つまり力部２０ｃ、２０ｃの先端にも、これらを連結するように設けられても良い。
【００６３】
上記弾性部材２２は、力部２０ｃ側ではなく、作用部２０ｂ側に設けてもよい。この場合、弾性部材２２は開く方向に付勢するバネではく、閉じる方向に付勢するバネとなる。弾性部材２２は、コイルバネのほか、板バネなどでもよい。
【００６４】
（６）他の発明の効果
［１］回動支点に対して所定に長さを保って回動可能に支持された一対の力部であって、この力部は互いに離間するように付勢され、挟持するとき当該付勢に抗して接近され、上記一対の力部にそれぞれ連結された一対の作用部であって、この作用部は上記回動支点を挟んで上記力部の反対側に位置し、この回動支点に対して所定に長さを保って回動可能に支持され、上記力部への付勢力に応じて、この一対の作用部は互いに接近するように付勢され、上記一対の力部から、互いに離間するように延出された一対の延出部と、上記回動支点、上記一対の力部、上記一対の作用部、上記一対の延出部は、複数組設けられ、上記複数組における上記一対の作用部の一方を連結するとともに、同じく上記複数組における上記一対の作用部の他方を連結する一対の作用連結部と、上記複数組における上記一対の延出部の一方を連結するとともに、同じく上記複数組における上記一対の延出部の他方を連結する一対の力延出連結部とを備え、上記一対の力延出連結部を付勢力に抗して互いに接近させると、上記一対の作用連結部が離間されて、この一対の作用連結部の間にものを挿入でき、当該一対の力延出連結部を開放させると、上記一対の作用連結部が接近されて、この一対の作用連結部の間に挿入されたものが挟まれることを特徴とする挟持具。これにより、一対の長い作用連結部で、幅のある物を一度に挟み付けることができるとともに、延出部によって広げられた一対の力延出連結部間に厚みのある長尺物を通すことにより、この長尺物の中間部を、一対の作用連結部により挟み付けることができる。
【００６５】
［２］上記作用連結部は、上記作用部に対して揺動可能となっており、挟むものの傾斜に対応してこの作用連結部の向きが変更されることを特徴とする請求項１記載の挟持具。これにより、作用連結部が挟むものの形状に合わせてこれを挟み付けることができ、挟むものをしっかりと挟持できる。また、作用連結部を揺動させることにより、一対の作用連結部間の隙間を大きくできるので、より厚いものを挟み付けることができる。
【００６６】
［３］上記作用連結部は複数組の上記作用部を最短距離で連結するものであり、上記一対の作用連結部は全体が互いに同時に接するものであって、この作用連結部全体にわたって均等に挟持力が伝達されることを特徴とする請求項１または２記載の挟持具。これにより、幅のあるものであっても均等に挟持力を及ぼすことができ、これを確実に挟持できる。また、長い作用連結部のどの位置においても、等しい挟持力でものを挟持できる。
【００６７】
［４］上記力延出連結部は、複数組の上記延出部を最短距離で連結するものであり、上記一対の力部が互いに接しても、上記一対の力延出連結部は互いが接触せず離間しており、挟持するものを上記作用連結部から上記力延出連結部の外まで延出させることができ、この力延出連結部への印加力を大きくできることを特徴とする請求項１、２または３記載の挟持具。これにより、力延出連結部に力が入りやすくなるとともに、長尺物の中程も容易に挟み付けることができ、作用連結部（押圧部材３、３）から延出連結部（加圧部材５、５）までの長さより長いものを作用連結部（押圧部材３、３）で挟むことができる。る。
【００６８】
［５］上記作用連結部はその中央部が互いに接近するように多少湾曲していることを特徴とする請求項１、２、３または４記載の挟持具。これにより、作用連結部の作用部間中間部における挟持力が、他の部分より弱くなるのを防止できる。
【００６９】
［６］上記一対の延出部の延びる方向は、一つの直線上にほぼあり、上記力部の回動方向からずれた方向に力が加わらないことを特徴とする請求項１、２、３または４記載の挟持具。これにより、力延出連結部に加えられた力を充分に力部に伝達でき、効率よく作用連結部を開かせることができる。
【００７０】
［７］図２の幅方向の長さＷは、通常の成人の手の親指と人差し指または中指、薬指若しくは小指との離間距離より小さく、力部が接したときの幅方向の長さＷ、または、力部が接したときの延出部の合計長さが、挟む物の厚さより大きくされる。これにより、上記長尺物を挟むとき力を円滑に加えることができる。
【図面の簡単な説明】
【００７１】
【図１】この発明の一実施の形態に係る挟持具の外観斜視図である。
【図２】挟持具の正面図である。
【図３】回動部材周りの詳細を示す断面図である。
【図４】押圧部材間と加圧部材間とにチューブを差し込んだ状態を示す挟持具の作用説明図である。
【図５】加圧部材によってチューブの中間部を挟み付けようとしている挟持具の作用説明図である。
【図６】加圧部材から挟み付け部材への加圧力の伝わり具合を示す図であり、（ａ）は延出部材を用いた場合を示し、（ｂ）は延出部材を用いない場合を示す。
【図７】延出部材側の力に対する支軸回りのモーメントアームの長さの変化を説明する図であり、（ａ）は力を加え始めたときを示し、（ｂ）は充分に力を加え、一対の力部が接近しているときを示す。
【符号の説明】
【００７２】
１…挟持具、２…挟み付け機構、３…押圧部材（作用連結部）、
４…延出部材（延出部）、５…加圧部材（延出連結部）、６…連結ねじ、
２０…挟み付け部材、２０ａ…突部、２０ｂ…作用部、
２０ｃ…力部、２０ｄ…円弧部、２０ｅ…軸部、
２１…支軸、２２…弾性部材、２２ａ…コイル部、２２ｂ…線状加圧部、
２３…回動部材、２３ａ…基部、２３ｂ…連結部、２３ｃ…支持部、
１００…チューブ、１０１…本体、１０２…キャップ、１０３…下部、
Ａ、Ｂ、Ｃ…位置、Ｄ１、Ｄ２…長さ、Ｆ…力、Ｆ１、Ｆ２…分力、
Ｈ…長さ、Ｋ…切欠、Ｌ…長さ、Ｍ…中心軸線、Ｎ…対称軸線、
Ｐ１…圧肉部、Ｐ２…薄肉部、Ｑ…加圧力、Ｒ…円柱面、
Ｓ１…外側部、Ｓ２…内側部、Ｔ…開口、Ｗ…長さ
【図１】
2005140292.tif 000003
【図２】
2005140292.tif 000004
【図３】
2005140292.tif 000005
【図４】
2005140292.tif 000006
【図５】
2005140292.tif 000007
【図６】
2005140292.tif 000008
【図７】
2005140292.tif 000009